(57)【要約】【課題】エリア灯光器の操作性を向上させること。【解決手段】実施形態に係るＸ線ＣＴ装置は、制御部を備える。制御部は、寝台装置の状態を示す情報と架台装置の情報を示す情報とのうち少なくとも一方の情報に基づいて、エリア灯光器の光により示されるチャネル方向の範囲と、前記エリア灯光器の光により示されるスライス方向の範囲とのうち少なくとも一方の範囲を取得し、取得した前記少なくとも一方の範囲に基づいて前記エリア灯光器を制御する。【選択図】図１
2019072372.tif 000002
【特許請求の範囲】
【請求項１】
寝台装置の状態を示す情報と架台装置の状態を示す情報とのうち少なくとも一方の情報に基づいて、エリア灯光器の光により示されるチャネル方向の範囲と、前記エリア灯光器の光により示されるスライス方向の範囲とのうち少なくとも一方の範囲を取得し、取得した前記少なくとも一方の範囲に基づいて前記エリア灯光器を制御する制御部を備えるＸ線ＣＴ装置。
【請求項２】
前記制御部は、前記寝台装置の状態を示す情報と前記架台装置の状態を示す情報とのうち少なくとも一方の情報に基づいて、前記チャネル方向の範囲と前記スライス方向の範囲とのうち少なくとも一方の範囲を算出し、算出した前記少なくとも一方の範囲に基づいて前記エリア灯光器を制御する、請求項１に記載のＸ線ＣＴ装置。
【請求項３】
前記制御部は、前記少なくとも一方の範囲に基づいて、ＣＴ（Ｃｏｍｐｕｔｅｄ  Ｔｏｍｏｇｒａｐｈｙ）撮影を行う撮影範囲を更に取得する、請求項１に記載のＸ線ＣＴ装置。
【請求項４】
前記制御部は、前記少なくとも一方の範囲に基づいて、検出器に係るＤＡＳ（Ｄａｔａ  Ａｃｑｕｉｓｉｔｉｏｎ  Ｓｙｓｔｅｍ）のゲインの設定を更に行う、請求項１に記載のＸ線ＣＴ装置。
【請求項５】
前記制御部は、前記少なくとも一方の範囲に基づいて、Ｘ線の曝射条件の推奨値を更に取得する、請求項１に記載のＸ線ＣＴ装置。
【請求項６】
前記制御部は、前記少なくとも一方の情報に基づいて、撮影部位を推定し、推定した前記撮影部位に基づいて、前記少なくとも一方の範囲を取得する、請求項１に記載のＸ線ＣＴ装置。
【請求項７】
前記少なくとも一方の情報は、前記寝台装置の上下方向の位置に係る情報である、請求項１に記載のＸ線ＣＴ装置。
【請求項８】
前記少なくとも一方の情報は、前記寝台装置の天板の長手方向のスライド位置に係る情報である、請求項１に記載のＸ線ＣＴ装置。
【請求項９】
前記少なくとも一方の情報は、前記架台装置のチルト角度に係る情報である、請求項１に記載のＸ線ＣＴ装置。
【請求項１０】
前記少なくとも一方の情報は、被検体保持具に係る情報である、請求項１に記載のＸ線ＣＴ装置。
【請求項１１】
前記少なくとも一方の情報は、前記寝台装置への荷重に係る情報である、請求項１に記載のＸ線ＣＴ装置。
【発明の詳細な説明】
【技術分野】
【０００１】
本発明の実施形態は、Ｘ線ＣＴ装置に関する。
【背景技術】
【０００２】
Ｘ線ＣＴ装置において、撮影範囲を確認するために、光を天板上に投影する灯光器（エリア灯光器）が用いられる場合がある。本撮影の撮影範囲に対応する、エリア灯光器により天板上に投影された光により示された範囲を確認することで、ユーザは、位置決め撮影の段階で被検体が被曝することを避けながら、Ｘ線の本撮影の撮影範囲を確認することができる。
【０００３】
エリア灯光器を使用して撮影範囲の確認を行う場合、エリア灯光器の点灯は、通常、検査条件の詳細設定の前に行われる。従って、ユーザがエリア灯光器の使用を開始した時点では、エリア灯光器は、撮影範囲等の検査条件の情報を保持していない。このような場合、エリア灯光器の操作性が低下する場合があった。
【先行技術文献】
【特許文献】
【０００４】
【特許文献１】特開２０１６−１３３０３号公報
【発明の概要】
【発明が解決しようとする課題】
【０００５】
本発明が解決しようとする課題は、エリア灯光器の操作性を向上させることである。
【課題を解決するための手段】
【０００６】
実施形態に係るＸ線ＣＴ装置は、制御部を備える。制御部は、寝台装置の状態を示す情報と架台装置の情報を示す情報とのうち少なくとも一方の情報に基づいて、エリア灯光器の光により示されるチャネル方向の範囲と、前記エリア灯光器の光により示されるスライス方向の範囲とのうち少なくとも一方の範囲を取得し、取得した前記少なくとも一方の範囲に基づいて前記エリア灯光器を制御する。
【図面の簡単な説明】
【０００７】
【図１】図１は、実施形態に係るＸ線ＣＴ装置を示す図である。
【図２】図２は、実施形態に係るＸ線ＣＴ装置が行う処理の流れについて説明したフローチャートである。
【図３】図３は、実施形態に係るＸ線ＣＴ装置により行われる撮影の例について説明した図である。
【図４】図４は、実施形態に係るＸ線ＣＴ装置により行われる撮影の例について説明した図である。
【図５】図５は、実施形態に係るＸ線ＣＴ装置により行われる撮影の例について説明した図である。
【図６】図６は、実施形態に係るＸ線ＣＴ装置により行われる撮影の例について説明した図である。
【図７】図７は、実施形態に係るＸ線ＣＴ装置により行われる処理の例について説明した図である。
【発明を実施するための形態】
【０００８】
以下、添付図面を参照して、Ｘ線ＣＴ装置の実施形態を詳細に説明する。
【０００９】
（実施形態）
まず、実施形態に係るＸ線ＣＴ装置の各部分について概略を説明する。図１は、実施形態に係るＸ線ＣＴ装置の構成例を示すブロック図である。図１に示すように、実施形態に係るＸ線ＣＴ装置は、架台装置１０と寝台装置３０とコンソール装置４０とを有する。
【００１０】
なお、本実施形態では、非チルト状態での回転フレーム１３の回転軸又は寝台装置３０の天板３３の長手方向をＺ軸方向、Ｚ軸方向に直交し、床面に対して水平である軸方向をＸ軸方向、Ｚ軸方向に直交し、床面に対し垂直である軸方向をＹ軸方向とそれぞれ定義するものとする。
【００１１】
架台装置１０は、被検体ＰにＸ線を照射し、被検体Ｐを透過したＸ線の検出データから投影データを収集する装置であり、Ｘ線管１１と、ウェッジ１６と、コリメータ１７と、Ｘ線検出器１２と、Ｘ線高電圧装置１４と、ＤＡＳ（Ｄａｔａ  ＡｃｑｕｉｓｉｔｉｏｎＳｙｓｔｅｍ）１８と、回転フレーム１３と、制御装置１５と、寝台装置３０とを有する。
【００１２】
Ｘ線管１１は、Ｘ線高電圧装置１４からの高電圧の印加により、陰極（フィラメント）から陽極（ターゲット）に向けて熱電子を照射する真空管である。
【００１３】
ウェッジ１６は、Ｘ線管１１から照射されたＸ線のＸ線量を調節するためのフィルタである。具体的には、ウェッジ１６は、Ｘ線管１１から被検体Ｐへ照射されるＸ線が、予め定められた分布になるように、Ｘ線管１１から照射されたＸ線を透過して減衰するフィルタである。
【００１４】
ウェッジ１６は、例えばウェッジフィルタ（wedge  filter）またはボウタイフィルタ（bow-tie  filter）であり、所定のターゲット角度や所定の厚みとなるようにアルミニウムを加工したフィルタである。
【００１５】
コリメータ１７は、ウェッジ１６を透過したＸ線の照射範囲を絞り込むための鉛板等であり、複数の鉛板等の組み合わせによってスリットを形成する。
【００１６】
Ｘ線検出器１２は、Ｘ線管１１から照射され、被検体Ｐを通過したＸ線を検出し、当該Ｘ線量に対応した電気信号をデータ収集装置（ＤＡＳ１８）へと出力する。Ｘ線検出器１２は、例えば、Ｘ線管１１の焦点を中心として１つの円弧に沿ってチャネル方向に複数のＸ線検出素子が配列された複数のＸ線検出素子列を有する。Ｘ線検出器１２は、例えば、Ｘ線管の焦点を中心として一つの円弧に沿ってチャネル方向に複数のＸ線検出素子が配列された複数のＸ線検出素子列を有する。Ｘ線検出器１２は、例えば、チャネル方向に複数のＸ線検出素子が配列されたＸ線検出素子列がスライス方向（体軸方向、列方向とも呼ばれる）に複数配列された構造を有する。
【００１７】
また、Ｘ線検出器１２は、例えば、グリッドと、シンチレータアレイと、光センサアレイとを有する間接変換型の検出器である。シンチレータアレイは、複数のシンチレータを有し、シンチレータは入射Ｘ線量に応じた光子量の光を出力するシンチレータ結晶を有する。グリッドは、シンチレータアレイのＸ線入射側の面に配置され、散乱Ｘ線を吸収する機能を有するＸ線遮蔽版を有する。光センサアレイは、シンチレータからの光量に応じた電気信号に変換する機能を有し、例えば、光電子増倍管（ＰＭＴ）等の光センサを有する。なお、Ｘ線検出器１２は、入射したＸ線を電気信号に変換する半導体素子を有する直接変換型の検出器であっても構わない。
【００１８】
Ｘ線高電圧装置１４は、変圧器（トランス）及び整流器などの電気回路を有し、Ｘ線管１１に印加する高電圧を発生する機能を有する高電圧発生装置と、Ｘ線管１１が照射するＸ線に応じた出力電圧の制御を行うＸ線制御装置とを有する。高電圧発生装置は、変圧器方式であってもよいし、インバータ方式であっても構わない。なお、Ｘ線高電圧装置１４は、回転フレーム１３に設けられてもよいし、架台装置１０の固定フレーム（図示しない）側に設けられても構わない。なお、固定フレームは、回転フレーム１３を回転可能に支持するフレームである。
【００１９】
ＤＡＳ１８（Ｄａｔａ  Ａｃｑｕｉｓｉｔｉｏｎ  Ｓｙｓｔｅｍ）は、Ｘ線検出器１２の各Ｘ線検出素子から出力される電気信号に対して増幅処理を行う増幅器と、電気信号をデジタル信号に変換するＡ／Ｄ変換器とを有し、検出データを生成する。ＤＡＳ１８が生成した検出データは、コンソール装置４０へと転送される。
【００２０】
回転フレーム１３は、Ｘ線管１１とＸ線検出器１２とを対向支持し、制御装置１５によってＸ線管１１とＸ線検出器１２とを回転させる円環状のフレームである。なお、回転フレーム１３は、Ｘ線管１１とＸ線検出器１２に加えて、Ｘ線高電圧装置１４やＤＡＳ１８を更に支持してもよい。なお、ＤＡＳ１８が生成した検出データは、一例として、回転フレーム１３に設けられた発光ダイオードを有する送信機から光通信によって、固定フレーム等架台装置１０の非回転部分に設けられた、フォトダイオードを有する受信機に送信され、コンソール装置４０へと転送される。なお、回転フレーム１３から架台装置１０の非回転部分への検出データの送信方法は、光通信に限らず、非接触型のその他の方式のデータ伝送方法を用いて行ってもよい。
【００２１】
制御装置１５は、ＣＰＵ等を有する処理回路と、モータやアクチュエータ等の駆動機構とを有する。制御装置１５は、コンソール装置４０に取り付けられた入力インタフェース４３若しくは架台装置１０に取り付けられた入力インタフェースからの入力信号を受けて、架台装置１０及び寝台装置３０の動作制御を行う機能を有する。例えば、制御装置１５は、入力信号を受けて回転フレーム１３を回転させる制御や、架台装置１０をチルトさせる制御、及び寝台装置３０及び天板３３を動作させる制御を行う。なお、架台装置１０をチルトさせる制御は、例えば架台装置１０に取り付けられた入力インタフェースによって入力される傾斜角度（チルト角度）情報により、制御装置１５がＸ軸方向に平行な軸を中心に回転フレーム１３を回転させることによって実現される。また、制御装置１５は、後述するエリア灯光器１の投光制御も行う。なお、制御装置１５は架台装置１０に設けられてもよいし、コンソール装置４０に設けられても構わない。制御装置１５または処理回路１５０の有する制御機能１５０ａは、制御部の一例である。
【００２２】
寝台装置３０は、スキャン対象の被検体Ｐを載置、移動させる装置であり、基台３１と、寝台駆動装置３２と、天板３３と、支持フレーム３４とを備える。基台３１は、支持フレーム３４を鉛直方向に移動可能に支持する筐体である。寝台駆動装置３２は、被検体Ｐが載置された天板３３を天板３３の長軸方向に移動するモータあるいはアクチュエータである。支持フレーム３４の上面に設けられた天板３３は、被検体Ｐが載置される板である。なお、寝台駆動装置３２は、天板３３に加え、支持フレーム３４を天板３３の長軸方向に移動してもよい。
【００２３】
コンソール装置４０は、ユーザによるＸ線ＣＴ装置１００の操作を受け付けるとともに、架台装置１０によって収集されたＸ線検出データからＸ線ＣＴ画像データを再構成する装置である。コンソール装置４０は、メモリ４１と、ディスプレイ４２と、入力インタフェース４３と、処理回路１５０とを備える。
【００２４】
メモリ４１は、例えばＲＡＭ（Ｒａｎｄｏｍ  Ａｃｃｅｓｓ  Ｍｅｍｏｒｙ）、フラッシュメモリ等の半導体メモリ素子、ハードディスク、光ディスクなどにより実現される。メモリ４１は、例えば投影データや再構成画像データを記憶する。メモリ４１は、記憶部の一例である。
【００２５】
ディスプレイ４２は、ユーザが参照するモニタであり、各種の情報を表示する。例えば、ディスプレイ４２は、処理回路１５０によって生成された医用画像（ＣＴ画像）や、ユーザからの各種操作を受け付けるためのＧＵＩ（Ｇｒａｐｈｉｃａｌ  Ｕｓｅｒ  Ｉｎｔｅｒｆａｃｅ）等を出力する。例えば、ディスプレイ４２は、液晶ディスプレイやＣＲＴ（Ｃａｔｈｏｄｅ  Ｒａｙ  Ｔｕｂｅ）ディスプレイである。ディスプレイ４２は、表示部の一例である。
【００２６】
入力インタフェース４３は、ユーザからの各種の入力操作を受け付け、受け付けた入力操作を電気信号に変換して処理回路１５０に出力する。例えば、入力インタフェース４３は、投影データを収集する際の収集条件や、ＣＴ画像を再構成する際の再構成条件、ＣＴ画像から後処理画像を生成する際の画像処理条件等をユーザから受け付ける。例えば、入力インタフェース４３は、マウスやキーボード、トラックボール、スイッチ、ボタン、ジョイスティック等により実現される。入力インタフェース４３は、入力部の一例である。
【００２７】
処理回路１５０は、Ｘ線ＣＴ装置１００全体の動作を制御する。処理回路１５０は、例えば、制御機能１５０ａと、前処理機能１５０ｂと、画像再構成機能１５０ｃと、画像生成機能１５０ｄとを有する。実施形態では、構成要素である制御機能１５０ａ、前処理機能１５０ｂ、画像再構成機能１５０ｃ、画像生成機能１５０ｄにて行われる各処理機能は、コンピュータによって実行可能なプログラムの形態でメモリ４１へ記憶されている。処理回路１５０はプログラムをメモリ４１から読み出し、実行することで各プログラムに対応する機能を実現するプロセッサである。換言すると、各プログラムを読みだした状態の処理回路１５０は、図１の処理回路１５０内に示された各機能を有することになる。なお、図１においては単一の処理回路１５０にて、制御機能１５０ａ、前処理機能１５０ｂ、画像再構成機能１５０ｃ、画像生成機能１５０ｄにて行われる処理機能が実現されるものとして説明したが、複数の独立したプロセッサを組み合わせて処理回路１５０を構成し、各プロセッサがプログラムを実行することにより機能を実現するものとしても構わない。なお、制御機能１５０ａ、前処理機能１５０ｂ、画像再構成機能１５０ｃ、画像生成機能１５０ｄは、それぞれ制御部、前処理部、再構成処理部、画像生成部の一例である。
【００２８】
換言すると、上述のそれぞれの機能がプログラムとして構成され、１つの処理回路が各プログラムを実行する場合であってもよいし、特定の機能が専用の独立したプログラム実行回路に実装される場合であってもよい。
【００２９】
上記説明において用いた「プロセッサ」という文言は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃａｌ  ｐｒｏｃｅｓｓｉｎｇ  ｕｎｉｔ）或いは、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、プログラマブル論理デバイス（例えば、単純プログラマブル論理デバイス（Ｓｉｍｐｌｅ  Ｐｒｏｇｒａｍｍａｂｌｅ  Ｌｏｇｉｃ  Ｄｅｖｉｃｅ：ＳＰＬＤ）、複合プログラマブル論理デバイス（Ｃｏｍｐｌｅｘ  Ｐｒｏｇｒａｍｍａｂｌｅ  Ｌｏｇｉｃ  Ｄｅｖｉｃｅ：ＣＰＬＤ），及びフィールドプログラマブルゲートアレイ（Ｆｉｅｌｄ  Ｐｒｏｇｒａｍｍａｂｌｅ  Ｇａｔｅ  Ａｒｒａｙ：ＦＰＧＡ））等の回路を意味する。プロセッサはメモリ４１に保存されたプログラムを読み出し実行することで機能を実現する。なお、メモリ４１にプログラムを保存する代わりに、プロセッサの回路内にプログラムを直接組み込むよう構成しても構わない。この場合、プロセッサは回路内に組み込まれたプログラムを読み出し実行することで機能を実現する。
【００３０】
処理回路１５０は、制御機能１５０ａにより、入力インタフェース４３を介してユーザから受け付けた入力操作に基づいて、処理回路１５０の各種機能を制御する。処理回路１５０は、前処理機能１５０ｂにより、ＤＡＳ１８から出力された検出データに対して対数変換処理やオフセット処理、チャネル間の感度補正処理、ビームハードニング補正などの前処理を施したデータを生成する。なお、前処理前のデータ（検出データ）および前処理後のデータを総称して投影データと称する場合もある。処理回路１５０は、再構成処理機能１５０ｃにより、前処理機能１５０ｂにより生成された投影データに対して、フィルタ補正逆投影法や逐次近似再構成法等を用いた再構成処理を行ってＣＴ画像データを生成する。処理回路１５０は、画像生成機能１５０ｄにより、入力インタフェース４３を介してユーザから受け付けた入力操作に基づいて、画像再構成処理機能１５０ｃによって生成されたＣＴ画像データを公知の方法により、任意断面の断層像データや３次元画像データに変換する。
【００３１】
エリア灯光器１（エリアファインダ）は、光を天板３３又は被検体Ｐの方向に向けて投光することにより、Ｘ線ＣＴ装置１００がＣＴ撮影を行う撮影範囲を確認することができるようにするための投光器である。具体的には、エリア灯光器１により示されるチャネル方向（ＦＯＶ方向）の範囲又はスライス方向（体軸方向）の範囲に基づいて、ユーザはＸ線ＣＴ装置１００がＣＴ撮影を行う撮影範囲を確認することができる。エリア灯光器１の例としては、例えば、レーザー投光器、ＬＥＤ投光器、水銀灯投光器、ハロゲンランプその他の投光器が挙げられる。エリア灯光器１による撮影範囲の確認は、Ｘ線の曝射を伴わずに行うことができるので、例えば位置決め撮影によりスキャノ画像／スカウト画像を取得することにより被検体Ｐの撮影を行う場合と比較して、放射線による被曝を低減することができる。
【００３２】
また、これに加えて、Ｘ線ＣＴ装置１００は、Ｘ線パスを表示するＸ線パス投光器、天板３３の短手方向の中心位置を通り、天板３３の長手方向に平行な直線である正中線を表示する正中線投光器等を備えても良い。
【００３３】
なお、ユーザは、エリア灯光器１の光により示される範囲をそのまま取得して、ＣＴ撮影を行う撮影範囲を取得してもよいし、エリア灯光器１の光により示される範囲に基づいて、ＣＴ撮影を行う撮影範囲を手動でまたは自動で取得してもよい。換言すると、エリア灯光器１の光により示される範囲と、ＣＴ撮影を行う撮影範囲とは同じ範囲であってもよいし、異なる範囲であっても良い。
【００３４】
次に、実施形態に係る背景について簡単に説明する。
【００３５】
エリア灯光器１を使用して撮影を行う場合、エリア灯光器１の点灯は、通常、検査条件の詳細設定の前に行われる場合が多い。例えば、体の各部位の検査条件をあらかじめ設定しておき、それらのあらかじめ設定された検査条件のうちのいずれかのプランの選択の前に、被検体Ｐを天板３３に載せ、エリア灯光器１を使用する場合がある。
【００３６】
このような場合、エリア灯光器１の点灯を開始した時点では、エリア灯光器１は、撮影部位を認識できないため、初期状態においてエリア灯光器１の光により天板３３上に示される範囲は、ＣＴ撮影を行う撮影範囲を反映したものになっていない。例えば、初期状態において、エリア灯光器１は、あらかじめ決められた設定値や、使用時の設定値を初期値として用いて、天板３３上に光を投光する。そのため、ユーザは、エリア灯光器１の光により天板３３上に示される範囲を、ＣＴ撮影を行う撮影範囲と等しい範囲とするために、手動でエリア灯光器１の表示範囲を、例えば架台装置１０側に備えられたタッチパネル等で修正する必要があり、操作性が低下していた。
【００３７】
一例として、架台装置１０のフロント側（天板３３が挿入される側）及び架台装置１０のリア側（架台装置１０において、天板３３が挿入される側と反対側）の両方に、エリア灯光器１を点灯させるためのボタンがあるが、エリア灯光器１の表示範囲を変更するためのタッチパネル等が、架台装置１０のフロント側にのみ備えられており、架台装置１０のリア側には備えられていない場合などが挙げられる。ここで、例えば架台装置１０のリア側で撮影を行うため、エリア灯光器１を点灯させるためのリア側のボタンを用いてエリア灯光器１を点灯させた場合を考える。かかる場合、表示範囲を変更するためのタッチパネルがリア側にないため、ユーザはフロント側まで回り込んでフロント側のタッチパネルを用いてエリア灯光器１の表示範囲の変更を行う必要があり、操作性が低下していた。
【００３８】
かかる背景に鑑み、制御装置１５または制御機能１５０ａを有する処理回路１５０は、寝台装置３０の状態を示す情報と架台装置１０の状態を示す情報とのうち少なくとも一方の情報に基づいて、エリア灯光器１の光により示されるチャネル方向（Ｘ方向）の範囲と、エリア灯光器１の光により示されるスライス方向（Ｚ方向）の範囲とのうち少なくとも一方の範囲を取得し、取得した当該範囲に基づいてエリア灯光器１を制御する。
【００３９】
これにより、撮影範囲の設定をユーザが手動で設定を行わずに自動で行うことができ、操作性が向上する。
【００４０】
図２〜図７を用いて、かかる処理の詳細について説明する。図２は、実施形態に係るＸ線ＣＴ装置１００が行う処理の流れについて説明したフローチャートである。
【００４１】
まず、ステップＳ１００において被検体Ｐのセッティングを行う前に、患者情報の検査予約リストへの登録や詳細上の入力が行われる。続いて、ステップＳ１００〜Ｓ１７０において、さまざまなセッティングや、情報の取得が行われる。これらのステップＳ１００〜Ｓ１７０の処理の詳細は撮影部位等により異なる。以下、撮影部位（撮影対象）が「嚥下」の場合、撮影部位が「手」の場合、撮影部位が「足」の場合、撮影部位が「頭部」の場合、撮影部位が「頭部」かつ被検体Ｐが「小児」の場合におけるステップＳ１００〜Ｓ１７０の処理について、図３〜図６を用いて説明する。図３は、撮影部位が「嚥下」の場合の撮影を、図４は、撮影部位が「手」の場合の撮影、図５は、撮影部位が「足」の場合の撮影、図６は、撮影部位が「頭部」の場合の撮影を表す。
【００４２】
図３を用いて、撮影部位が「嚥下」の場合について説明する。
【００４３】
撮影部位が「嚥下」の場合、被検体Ｐを例えば架台装置１０のリア側（天板３３が架台装置１０に挿入される方向とは反対側）に配置して撮影が行われる。撮影部位が「嚥下」の場合、例えば被検体Ｐを椅子５４に座らせた状態で、架台装置１０のボアに頭５０を入れさせて撮影を行う。
【００４４】
架台センター高さ２は、架台装置１０にチルトがない場合の、架台装置１０の中心の高さを表す。架台センター高さ２は、寝台装置３０の上下方向の位置の基準となる高さである。ここで、寝台上下位置５２は、寝台装置３０の上下方向の位置を表し、具体的には天板３３の上下方向の位置を意味する。幅５３は、架台センター高さ２と寝台上下位置５２との差を表す。撮影部位が「嚥下」の場合、幅５３は例えば１００ｍｍ以下となる。従って、撮影部位が「嚥下」の場合、寝台上下位置５２は、例えば架台センター高さ２を基準に、−１００ｍｍ以下の高さとなる。
【００４５】
また、撮影部位が「嚥下」の場合、天板３３は使用されていないので、撮影開始時の天板３３の長手方向の位置である天板スライド位置は、「０ｍｍ」となる。また、撮影部位が「嚥下」の場合、被検体Ｐは椅子５４に座り撮影を行うので、天板３３には重量はかからず、天板上重量は「０ｋｇ」となる。また、撮影にあたって、被検体保持具は特に使用されないので、被検体保持具／付属品は、「特になし」となる。なお、被検体保持具や付属品の装着の有無やその種類の判定については、例えば天板３３と付属品の嵌合の一部の形状を付属品の種類ごとに識別可能なように形を変えておき、それを光学センサで種類を検知したり、ＩＣチップなどを付属品などに埋め込むことにより識別する方法がある。
【００４６】
また、撮影部位が「嚥下」の場合、制御装置１５は、架台装置１０を、後ろ側に、チルト角５１だけチルトさせて撮影を行う。制御装置１５は、撮影部位が「嚥下」の場合、例えば、架台装置１０のチルト角度５１を２０度以上にして、軸３の方向に架台装置１０をチルトさせて、被検体Ｐの撮影を行う。従って、撮影部位が「嚥下」の場合、チルト角度は、例えば、「＋２０度以上」となる。
【００４７】
撮影部位が「嚥下」の場合のステップＳ１００〜Ｓ１７０の処理について説明する。ステップＳ１００において、被検体Ｐの位置が所定の位置になるようにセッティングが行われる。具体的には、ユーザは被検体Ｐに椅子５４を用意し、架台装置１０のリア側に配置する。ステップＳ１１０において、制御装置１５は、寝台上下位置が、例えば「架台センター高さ-１００ｍｍ以下」の位置となるように天板３３の上下位置方向の位置を制御する。制御装置１５は、ステップＳ１２０において、例えばエンコーダなどにより情報を収集することにより、寝台装置３０の上下方向の位置に係る情報を取得する。
【００４８】
また、撮影部位が「嚥下」の場合、天板３３は撮影に使用しないので、ステップＳ１３０に示す天板３３の長手方向の移動は行われない。ステップＳ１４０において、制御装置１５は、例えばエンコーダなどにより情報を収集することにより、寝台装置３０の長手方向のスライド位置に係る情報を取得するが、ステップＳ１３０で天板３３の長手方向のスライドは行われていないので、天板スライド位置は、例えば「０ｍｍ」となる。
【００４９】
続いて、制御装置１５は、ステップＳ１５０において、架台装置１０を後ろにチルトする。ここで、「後ろにチルト」とは、架台装置１０のリア側が上下方向で下になるようにチルトすることを意味する。続いて、制御装置１５は、ステップＳ１６０において、例えばエンコーダや角度センサなどで情報を収集することにより、架台装置１０のチルト角を取得する。ここで、架台装置１０が前にチルトしているときにはチルト角は負のチルト角になり、架台装置１０が後ろにチルトしているときにはチルト角は正のチルト角になる。撮影部位が「嚥下」の場合、ステップＳ１６０において制御装置１５が取得するチルト角は、例えば＋２０度以上の角度となる。
【００５０】
ステップＳ１７０において、制御装置１５は、寝台装置３０への荷重に係る情報を取得するが、撮影部位が「嚥下」の場合、天板３３が使われていないので天板上重量は０ｋｇとなる。ここで、寝台装置３０への荷重に係る情報を取得する方法としては、例えば、天板下や寝台下に重量センサやひずみゲージなどを組み込む方法が挙げられる。
【００５１】
次に、図４を用いて、撮影部位が「手」の場合について説明する。
【００５２】
撮影部位が「手」の場合も、「嚥下」の場合と同様、被検体Ｐを例えば架台装置１０のリア側に配置して撮影が行われる。撮影部位が「手」の場合、被検体Ｐを椅子５４に座らせた状態や被検体Ｐに立ってもらった状態で、架台装置１０のボアに手６０を入れさせて撮影を行う。また、撮影部位が「手」の場合、天板３３をスライドさせ、スライドさせた天板３３の上に被検体Ｐの手６０をのせることにより、撮影が行われる。
【００５３】
撮影部位が「手」の場合、寝台上下位置は、架台センター高さ２と等しくなる。天板スライド位置は、天板３３を長手方向にスライドさせるので、例えば、「４００〜６００ｍｍ」とし、被検体Ｐの手６０が置けるように天板３３の先端がスキャン面中心から２００ｍｍ〜３００ｍｍ程度入った位置まで、制御装置１５は天板３３を移動させる。
【００５４】
また、天板３３の上に手の重量がかかるので、天板上重量は、例えば「３〜１０ｋｇ」となる。また、撮影にあたって、被検体保持具は特に使用されないので、被検体保持具／付属品は、「特になし」となる。または、延長天板が使用された場合、被検体保持具／付属品は、「延長天板」となる。また、撮影部位が「手」の場合、架台装置１０のチルトは特に不要であるので、チルト角度は、「０度」となる。
【００５５】
撮影部位が「手」の場合のステップＳ１００〜Ｓ１７０の処理について説明する。ステップＳ１００において、被検体Ｐの位置が所定の位置になるようにセッティングが行われる。具体的には、ユーザは被検体Ｐに椅子５４を用意し、架台装置１０のリア側に配置する。ステップＳ１１０において、撮影部位が「手」の場合、制御装置１５は、天板３３を上下方向に移動する。または、制御装置１５は、天板３３の上下方向の移動が不要な場合、天板３３の上下移動は特に行わなくてもよい。制御装置１５は、ステップＳ１２０において、寝台装置３０の上下方向の位置に係る情報を取得する。
【００５６】
ステップＳ１３０において、制御装置１５は、天板３３を長手方向に移動する。ステップＳ１４０において、制御装置１５は、寝台装置３０の長手方向のスライド位置に係る情報を取得する。撮影部位が「手」の場合、ステップＳ１５０において制御装置１５は、架台装置１０のチルトは行わない。従って、撮影部位が「手」の場合、ステップＳ１６０において制御装置１５が取得するチルト角は、０度となる。ステップＳ１７０において、制御装置１５は、寝台装置３０への荷重に係る情報を取得する。
【００５７】
図５を用いて、撮影部位が「足」の場合について説明する。撮影部位が「足」の場合、被検体Ｐは天板３３の上に横になり、足７０を架台装置１０のボアの中に入れて撮影が行われる。寝台上下位置７１は、架台センター高さ２より、幅７２だけ下の位置となる。ここで、幅７２は、例えば５０ｍｍである。また、天板３３のスライドは行われ、天板上重量は、被検体Ｐの体重となる。また、撮影にあたって、被検体保持具は延長天板以外特に使用されないので、被検体保持具／付属品は、「特になし又は延長天板」となる。また、架台装置１０のチルトは特に不要であるので、チルト角度は、「０度」となる。
【００５８】
撮影部位が「足」の場合のステップＳ１００〜Ｓ１７０の処理について説明する。ステップＳ１００において、被検体Ｐの位置が所定の位置になるようにセッティングが行われる。具体的には、天板３３上の所定の位置に被検体Ｐがくるようにセッティングが行われる。ステップＳ１１０において、制御装置１５は、天板３３を上下方向に移動する。制御装置１５は、ステップＳ１２０において、寝台装置３０の上下方向の位置に係る情報を取得する。ステップＳ１３０において、制御装置１５は、天板３３を長手方向に移動する。ステップＳ１４０において、制御装置１５は、寝台装置３０の長手方向のスライド位置に係る情報を取得する。また、ステップＳ１５０において制御装置１５は、架台装置１０のチルトは行わないので、ステップＳ１６０において制御装置１５が取得するチルト角は、０度となる。ステップＳ１７０において、制御装置１５は、寝台装置３０への荷重に係る情報を取得する。
【００５９】
図６を用いて、撮影部位が「頭部」の場合について説明する。撮影部位が「頭部」の場合、撮影部位が「足」の場合と同様、被検体Ｐは天板３３の上に横になり、頭８１を架台装置１０のボアの中に入れて撮影が行われる。撮影部位が「頭部」の場合、ヘッドレスト９０が撮影に用いられる。寝台上下位置８は、架台センター高さ２より、幅８３だけ下の位置となる。ここで、幅８３は、例えば１００ｍｍである。また、天板３３のスライドは行われ、天板上重量は、被検体Ｐの体重となる。また、制御装置１５は、架台装置１０を、前側に、軸４の方向に、チルト角８０だけチルトさせて撮影を行う。チルト角度は、例えば、０度〜１５度となる。
【００６０】
撮影部位が「頭部」の場合のステップＳ１００〜Ｓ１７０の処理について説明する。ステップＳ１００において、被検体Ｐの位置が所定の位置になるようにセッティングが行われる。ステップＳ１１０において、制御装置１５は、天板３３を上下方向に移動する。制御装置１５は、ステップＳ１２０において、寝台装置３０の上下方向の位置に係る情報を取得する。ステップＳ１３０において、制御装置１５は、天板３３を長手方向に移動する。ステップＳ１４０において、制御装置１５は、寝台装置３０の長手方向のスライド位置に係る情報を取得する。ステップＳ１５０において、制御装置１５は、架台装置１０をチルトさせる。ステップＳ１６０において、制御装置１５は、架台装置１０のチルト角を取得する。ステップＳ１７０において、制御装置１５は、寝台装置３０への荷重に係る情報を取得する。
【００６１】
次に、撮影部位が「頭部」であり、かつ被検体Ｐが「小児」の場合について説明する。かかる場合、撮影部位が「頭部」であり、かつ被検体Ｐが大人である場合と基本的には同様であるが、被検体保持具／付属品として、「ベビーベッド」が追加で用いられる。また、天板上重量は、被検体Ｐが大人である場合と比較して小さくなり、また寝台上下位置に関しても、被検体Ｐが大人である場合と比較して異なる上下位置において撮影されてよい。
【００６２】
次に、図７を用いて、ステップＳ１８０の処理について説明する。図７は、実施形態に係るＸ線ＣＴ装置１００により行われる撮影の例について説明した図である。ステップＳ１８０において、制御装置１５または制御機能１５０ａを有する処理回路１５０は、寝台装置３０の状態を示す情報と架台装置１０の状態を示す情報とのうち少なくとも一方に基づいて、エリア灯光器１の光により示されるチャネル方向（Ｘ軸方向）の範囲と、エリア灯光器１の光により示されるスライス方向（Ｚ軸方向）の範囲とのうち少なくとも一方の範囲を取得し、取得した範囲に基づいてエリア灯光器１を制御する。一例として、制御装置１５または制御機能１５０ａを有する処理回路１５０は、寝台装置３０の状態を示す情報と架台装置１０の情報とのうち少なくとも一方に基づいて、撮影部位を推定し、推定した撮影部位に基づいて、エリア灯光器１の光により示されるチャネル方向の範囲と、エリア灯光器１の光により示されるスライス方向の範囲とを取得し、取得した範囲に基づいてエリア灯光器１を制御する。ここで、寝台装置３０の上下方向の位置に係る情報、寝台装置３０の天板３３の長手方向のスライド位置に係る情報、被検体保持具に係る情報、寝台装置３０への荷重に係る情報が、寝台装置３０の状態を示す情報の例である。また、架台装置１０のチルト角度に係る情報が、架台装置１０の状態を示す情報の例である。
【００６３】
一例として、制御装置１５または制御機能１５０ａを有する処理回路１５０は、寝台装置３０の状態を示す情報と架台装置１０の情報とのうち少なくとも一方に基づいて、撮影部位を推定し、推定した撮影部位に基づいて、エリア灯光器１の光により示されるチャネル方向の範囲と、エリア灯光器１の光により示されるスライス方向の範囲とを計算により算出し、算出した範囲に基づいてエリア灯光器１を制御する。
【００６４】
なお、上述のチャネル方向の範囲及びスライス方向の範囲の取得は、上述の例のようにチャネル方向の範囲及びスライス方向の範囲を計算により算出する場合と、例えばメモリ４１に記憶されたテーブルからデータを読み出してチャネル方向の範囲及びスライス方向の範囲に係るデータを取得する場合の両方の場合を含む。後者の場合、メモリ４１は、寝台装置３０の状態を示す情報や架台装置１０の状態を示す情報と、エリア灯光器１の光により示されるチャネル方向の範囲やスライス方向の範囲の初期設定値とを、例えばテーブルの形で関連付けて記憶する。
【００６５】
制御装置１５が取得した情報が、図７（ａ）の１列目で表せる場合、すなわち、ステップＳ１２０において制御装置１５が取得した寝台上下位置が、「架台センター高さ-100mm以下」であり、ステップＳ１４０において制御装置１５が取得した天板スライド位置が「０ｍｍ」であり、ステップＳ１７０において制御装置１５が取得した天板上重量が「０ｋｇ」であり、被検体保持具／付属品は、「特になし」であり、ステップＳ１６０において制御装置１５が取得したチルト角度が「＋２０度以上」である場合を考える。この場合、制御装置１５または制御機能１５０ａを有する処理回路１５０は、天板３３が使用されておらず、またチルト角度が正になっていること等を考慮して、図７（ｂ）に示されているように、撮影部位が「嚥下」であると推定する。続いて、制御装置１５または制御機能１５０ａを有する処理回路１５０は、推定した撮影部位「嚥下」に基づいて、図７（ｃ）に示されているように、エリア灯光器１の光により示されるチャネル方向（ＦＯＶ）の範囲が、「Ｍ」であり、エリア灯光器１の光により示されるスライス方向（体軸方向）の範囲が、「１６０ｍｍ」である旨の情報を取得する。より具体的には、制御装置１５または制御機能１５０ａを有する処理回路１５０は、例えば、推定した撮影部位「嚥下」に基づいて、エリア灯光器１の光により示されるチャネル方向（ＦＯＶ）の範囲が、「Ｍ」であり、エリア灯光器１の光により示されるスライス方向（体軸方向）の範囲が、「１６０ｍｍ」である旨、計算により算出する。また、別の例として、制御装置１５または制御機能１５０ａを有する処理回路１５０は、例えば、メモリ４１から、撮影部位「嚥下」に対応する、チャネル方向（ＦＯＶ）の範囲及びスライス方向（体軸方向）の範囲の初期設定値のデータを読み出し、エリア灯光器１の光により示されるチャネル方向（ＦＯＶ）の範囲が、「Ｍ」であり、エリア灯光器１の光により示されるスライス方向（体軸方向）の範囲が、「１６０ｍｍ」である旨の情報を取得する。また、別の例として、制御装置１５または制御機能１５０ａを有する処理回路１５０は、例えば、メモリ４１から、寝台装置３０の状態を表す情報や架台装置１０の状態を表す情報に基づいて、チャネル方向（ＦＯＶ）の範囲及びスライス方向（体軸方向）の範囲の初期設定値のデータを直接読み出してもよい。
【００６６】
また、制御装置１５が取得した情報が、図７（ａ）の２列目で表せる場合、すなわち、ステップＳ１２０において制御装置１５が取得した寝台上下位置が、「架台センター高さ」であり、ステップＳ１４０において制御装置１５が取得した天板スライド位置が「４００〜６００ｍｍ」であり、ステップＳ１７０において制御装置１５が取得した天板上重量が「３ｋｇ〜１０ｋｇ」であり、被検体保持具／付属品は、「特になし」または「延長天板」であり、ステップＳ１６０において制御装置１５が取得したチルト角度が「０度」である場合を考える。かかる場合、制御装置１５または制御機能１５０ａを有する処理回路１５０は、天板上重量が、３ｋｇ〜１０ｋｇであり全体重がかかっているわけではないこと、被検体保持具としてベビーベットが取り付けられていないことから小児撮影でもなさそうであること、及び寝台上下位置等を考慮して、図７（ｂ）に示されているように、撮影部位が「手」であると推定する。続いて、制御装置１５または制御機能１５０ａを有する処理回路１５０は、推定した撮影部位「手」に基づいて、図７（ｃ）に示されているように、エリア灯光器１の光により示されるチャネル方向（ＦＯＶ）の範囲が、「Ｓ」であり、エリア灯光器１の光により示されるスライス方向（体軸方向）の範囲が、「８０ｍｍ」である旨の情報を取得する。
【００６７】
また、制御装置１５が取得した情報が、図７（ａ）の３列目で表せる場合、制御装置１５または制御機能１５０ａを有する処理回路１５０は、天板上重量に全体重がかかっていること、被検体保持具が特にないこと、チルト角度が０であること、寝台上下位置、天板上重量等を総合的に考慮して、図７（ｂ）に示されているように、撮影部位が「足」であると推定する。続いて、制御装置１５または制御機能１５０ａを有する処理回路１５０は、推定した撮影部位「足」に基づいて、図７（ｃ）に示されているように、エリア灯光器１の光により示されるチャネル方向（ＦＯＶ）の範囲が、「Ｓ」であり、エリア灯光器１の光により示されるスライス方向（体軸方向）の範囲が、「１６０ｍｍ」である旨の情報を取得する。
【００６８】
また、制御装置１５が取得した情報が、図７（ａ）の４列目で表せる場合、制御装置１５または制御機能１５０ａを有する処理回路１５０は、被検体保持具としてヘッドレストが使われていること等を考慮して、図７（ｂ）に示されているように、撮影部位が「頭部」であると推定する。続いて、制御装置１５または制御機能１５０ａを有する処理回路１５０は、推定した撮影部位「頭部」に基づいて、エリア灯光器１の光により示されるチャネル方向（ＦＯＶ）の範囲及びスライス方向（体軸方向）の範囲を取得する。
【００６９】
また、制御装置１５が取得した情報が、図７（ａ）の５列目で表せる場合、制御装置１５または制御機能１５０ａを有する処理回路１５０は、被検体保持具としてベビーベッド等が使われていること等を考慮して、図７（ｂ）に示されているように、撮影部位が「頭部」かつ撮影対象が「小児」であると推定する。続いて、制御装置１５または制御機能１５０ａを有する処理回路１５０は、推定した撮影部位等に基づいて、エリア灯光器１の光により示されるチャネル方向（ＦＯＶ）の範囲及びスライス方向（体軸方向）の範囲を取得する。
【００７０】
以上をまとめると、制御装置１５または制御機能１５０ａを有する処理回路１５０は、被検体保持具（付属品）に係る情報に基づいて、撮影部位や撮影対象を推定し、推定した撮影対象や撮影部位に基づいて、エリア灯光器１の光により示されるチャネル方向の範囲と、エリア灯光器１の光により示されるスライス方向の範囲とのうち少なくとも一方の範囲を取得する。一例として、制御装置１５または制御機能１５０ａを有する処理回路１５０は、被検体保持具（付属品）が「ベビーベッド」である場合、撮影対象が小児であると推定し、被検体保持具（付属品）が「ヘッドレスト」である場合、撮影部位が頭部であると推定し、被検体保持具（付属品）が「延長天板」である場合、撮影部位が手、足等であると推定し、それらの推定結果に基づいて当該範囲を取得する。
【００７１】
また、制御装置１５または制御機能１５０ａを有する処理回路１５０は、寝台装置３０への荷重に係る情報に基づいて、撮影部位や撮影対象を推定し、推定した撮影対象や撮影部位に基づいて、エリア灯光器１の光により示されるチャネル方向の範囲と、エリア灯光器１の光により示されるスライス方向の範囲とのうち少なくとも一方の範囲を取得する。一例として、制御装置１５または制御機能１５０ａを有する処理回路１５０は、寝台装置３０への荷重が、成人の全体重と判断される重さの荷重である場合、撮影対象が小児以外であり、かつ撮影部位が頭部または足であると推定し、寝台装置３０への荷重が、３〜１０ｋｇ程度である場合、撮影部位が手であるか、または撮影対象が小児であると推定し、寝台装置３０への荷重が０である場合、撮影対象が嚥下であると推定し、それらの推定結果に基づいて当該範囲を取得する。
【００７２】
また、制御装置１５または制御機能１５０ａを有する処理回路１５０は、架台装置１０のチルト角に係る情報に基づいて、撮影部位や撮影対象を推定し、推定した撮影対象や撮影部位に基づいて、エリア灯光器１の光により示されるチャネル方向の範囲と、エリア灯光器１の光により示されるスライス方向の範囲とのうち少なくとも一方の範囲を取得する。一例として、制御装置１５または制御機能１５０ａを有する処理回路１５０は、架台装置１０が、正の角度方向にチルトしている場合、撮影部位が嚥下又は頭部であると推定し、それらの推定結果に基づいて当該範囲を取得する。
【００７３】
また、制御装置１５または制御機能１５０ａを有する処理回路１５０は、寝台装置３０の天板３３の長手方向のスライド位置に係る情報に基づいて、撮影部位や撮影対象を推定し、推定した撮影対象や撮影部位に基づいて、エリア灯光器１の光により示されるチャネル方向の範囲と、エリア灯光器１の光により示されるスライス方向の範囲とのうち少なくとも一方の範囲を取得する。一例として、制御装置１５または制御機能１５０ａを有する処理回路１５０は、天板３３が長手方向にスライドしていない場合、撮影部位が嚥下であると推定し、それらの推定結果に基づいて当該範囲を取得する。
【００７４】
また、制御装置１５または制御機能１５０ａを有する処理回路１５０は、寝台装置３０の上下方向の位置に係る情報に基づいて、撮影部位や撮影対象を推定し、推定した撮影対象や撮影部位に基づいて、エリア灯光器１の光により示されるチャネル方向の範囲と、エリア灯光器１の光により示されるスライス方向の範囲とのうち少なくとも一方の範囲を取得する。一例として、制御装置１５または制御機能１５０ａを有する処理回路１５０は、寝台上下位置が架台センター高さと同程度な場合、撮影部位が手であると推定し、寝台上下位置が架台センター高さの下５０ｍｍ程度な場合、撮影部位が足又は小児の頭部であると推定し、寝台上下位置が架台センター高さの下１００ｍｍ程度な場合、撮影部位が嚥下又は頭部であると推定し、それらの推定結果に基づいて当該範囲を取得する。
【００７５】
図２に戻り、制御装置１５は、ステップＳ１８０で推定した撮影部位や、取得した撮影範囲等の取得結果を、図示しない出入力インタフェースに出力し、ユーザから、制御装置１５が推定した結果が間違っている場合の修正入力を受け付ける。例えば、制御装置１５は、推定した撮影部位に係る情報や、取得した撮影範囲を、架台装置１０のフロント側に備えられた出入力インタフェースに出力し、ユーザからの修正入力を受け付ける。例えば、制御装置１５が、撮影部位を「頭部」と推定したが、実際には撮影部位は「足」であった場合、制御装置１５は、当該出入力インタフェースから、撮影部位が「足」である旨の修正入力を受け付ける。また、例えば、制御装置１５が、撮影範囲を「Ｓ」の旨の情報を取得したが、実際には、撮影範囲が「Ｍ」であるのが適当である場合、制御装置１５は、当該出入力インタフェースを通じて、ユーザから、撮影範囲が「Ｍ」である旨の修正入力を受け付ける。
【００７６】
続いて、制御装置１５は、ステップＳ１９０において、エリア灯光器１の光により示される範囲が、ステップＳ１８０で制御装置１５により取得された範囲、またはステップＳ１８５でユーザから受け付けた修正入力に基づいて取得された範囲となるように、エリア灯光器１を点灯するよう制御する。
【００７７】
続いて、制御装置１５は、ステップＳ２００において、ステップＳ１８０で制御装置１５により取得された範囲に基づいて、ＣＴ撮影を行う撮影範囲を取得する。一例として、制御装置１５は、エリア灯光器１の光により示されるチャネル方向の範囲と、エリア灯光器の光により示されるスライス方向の範囲とを、そのままＣＴ撮影を行う撮影範囲とする。しかしながら、実施形態はこれに限られず、エリア投光器１の光により示される範囲と、ＣＴ撮影を行う範囲とは異なる範囲であってもよい。また、別の例として、制御装置１５は、ステップＳ１８０で制御装置１５により推定された撮影部位の情報を架台装置１０からコンソール４０に送信し、処理回路１５０に、撮影計画を自動で設定させてもよい。撮影計画を自動で設定した処理回路１５０は、選択された撮影計画に基づいて、ＣＴ撮影を行う撮影範囲を取得する。制御装置１５または処理回路１５０が、ＣＴ撮影を行う撮影範囲を自動取得することで、ユーザは、患者情報をインプットすることなく、エリア灯光器１を点灯すると同時にＣＴ撮影を行う撮影範囲を自動で設定することが可能になり、ユーザの作業性の向上を図ることができる。
【００７８】
また、制御装置１５は、ステップＳ１８０で制御装置１５により取得された範囲に基づいて、例えばエリア灯光器１の光により示される範囲の大きさに基づいて、Ｘ線検出器１２に係るＤＡＳ（Ｄａｔａ  Ａｃｑｕｉｓｉｔｉｏｎ  Ｓｙｓｔｅｍ）のゲインの設定を行ってもよい。このことにより、ＤＡＳのゲインを自動的に設定することができ、操作性が更に向上する。
【００７９】
また、制御装置１５は、ステップＳ１８０で制御装置１５により取得された範囲に基づいて、Ｘ線の曝射条件の推奨値等を取得してもよい。例えば、制御装置１５は、ステップＳ１８０で制御装置１５により取得された範囲に基づいて、管電圧、管電流、Ｘ線の照射時間の推奨値等を取得しても良い。
【００８０】
続いて、ステップＳ２１０において、Ｘ線ＣＴ装置１００は、ステップＳ２００で取得された条件に基づいてＣＴ撮影を実行する。
【００８１】
なお、実施形態は上述の例に限られない。
【００８２】
前述のように、実施形態において、制御装置１５または制御機能１５０ａを有する処理回路１５０が種々の情報を取得する場合、当該情報を計算により算出する場合であってもよいし、当該情報に関連する情報を例えばメモリ４１から読み出す場合であってもよい。後者のケースの場合、メモリ４１は、例えば、被検体保持具に係る情報、撮影対象や撮影部位に係る情報、チルト角に係る情報、天板３３の長手方向のスライド位置に係る情報、寝台装置３０の上下方向の位置に係る情報等と、エリア灯光器１の光により示されるチャネル方向の範囲に係る情報、エリア灯光器１の光により示されるスライス方向の範囲に係る情報、ＣＴ撮影を行う撮影範囲に係る情報、ＤＡＳのゲインの設定に係る情報、Ｘ線の曝射条件の推奨値に係る情報等との関係を表したテーブルをデータとして記憶する。制御装置１５または制御機能１５０ａを有する処理回路１５０は、メモリ４１から当該テーブルを読み出すことにより、それら種々の情報を取得する。
【００８３】
実施形態は、一管球型でかつ、Ｒｏｔａｔｅ／ＲｏｔａｔｅタイプのＸ線ＣＴ装置１００の場合で説明したが、実施形態はこれに限られない。Ｘ線ＣＴ装置には、Ｘ線管とＸ線検出器とが一体として被検体Ｐの周囲を回転するＲｏｔａｔｅ／Ｒｏｔａｔｅタイプ、リング状にアレイされた多数のＸ線検出素子が固定され、Ｘ線管のみが被検体Ｐの周囲を回転するＳｔａｔｉｏｎａｒｙ／Ｒｏｔａｔｅタイプ等様々なタイプがあるが、いずれのタイプでも本実施形態は適用可能である。さらに、近年では、Ｘ線管とＸ線検出器との複数のペアを回転フレームに搭載したいわゆる多管球型のＸ線ＣＴ装置の製品化が進み、その周辺技術の開発が進んでいる。本実施形態においては、従来からの一管球型のＸ線ＣＴ装置であっても、多管球型のＸ線ＣＴ装置であってもいずれも適用可能である。
【００８４】
また、Ｘ線を発生させるハードウェアはＸ線管１１に限られない。例えば、Ｘ線管１１に代えて、電子銃から発生した電子ビームを収束させるフォーカスコイルと、電磁偏向させる偏向コイルと、被検体Ｐの半周を囲い変更した電子ビームが衝突することによってＸ線を発生させるターゲットリングとを含む第５世代方式を用いてＸ線を発生させることにしても構わない。
【００８５】
また、Ｘ線ＣＴ装置１００は、２種類の異なるＸ線エネルギーで撮影を行ういわゆるデュアルエナジースキャン方式で撮影を行ってもよく、また３種類以上の異なるＸ線エネルギーで撮影を行ういわゆるマルチエネルギースキャン方式で撮影を行ってもよい。かかる場合、物質弁別の方式は、投影データを用いて物質弁別を行う方式でもよいし、画像データを用いて物質弁別を行う方式でもよい。また、撮影方式は、Ｋｖスイッチング方式、デュアルソース方式、積層型検出器方式のいずれの撮影方式であってもよい。
【００８６】
また、天板３３の移動方式としては、天板３３だけを移動させてもよいし、寝台装置３０の支持フレーム３４ごと移動する方式であってもよい。実施形態を立位ＣＴに適用する場合、天板３３に相当する患者支持機構を移動する方式であってもよい。
【００８７】
また、ヘリカルスキャンや位置決めスキャン等、架台装置１０の天板３３の位置関係の相対的な変更を伴うスキャン実行の際、当該位置関係の相対的な変更は天板３３の駆動によって行われても良いし、架台装置１０の走行によって行われてもよく、またそれらの複合によって行われてもよい。
【００８８】
また、実施形態中で説明した処理回路１５０による処理は、コンソール装置４０又は外部のワークステーション（画像処理装置）のどちらで実行することにしても構わない。また、処理回路１５０による処理は、コンソール装置４０と外部の画像処理装置の両方で同時に処理することにしても構わない。
【００８９】
また、投影データや画像再構成データの記憶は、コンソール装置４０のメモリ４１が行う場合に限らず、インターネット等の通信ネットワークを介してＸ線ＣＴ装置１００と接続可能なクラウドサーバがＸ線ＣＴ装置１００からの保存要求を受けて投影データや再構成画像データの記憶を行っても良い。
【００９０】
また、処理回路１５０は、コンソール装置４０に含まれる場合に限られず、複数の医用画像診断装置にて取得された検出データに対する処理を一括して行う統合サーバに含まれてもよい。
【００９１】
実施形態に係るＸ線ＣＴ装置１００は、被検体周囲１周、３６０度分のデータを収集するフルスキャン方式を用いてもよいし、１８０度＋ファン角度分のデータを収集するハーフスキャン方式を用いてもよい。
【００９２】
また、実施形態は、歯科用ＣＴにも適用可能である。
【００９３】
以上のように、実施形態に係るＸ線ＣＴ装置によれば、エリア灯光器の操作性を向上させることができる。
【００９４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９５】
１５  制御装置
１５０ａ  制御機能
【図１】
2019072372.tif 000003
【図２】
2019072372.tif 000004
【図３】
2019072372.tif 000005
【図４】
2019072372.tif 000006
【図５】
2019072372.tif 000007
【図６】
2019072372.tif 000008
【図７】
2019072372.tif 000009